【手続補正書】
【提出日】平成28年6月6日(2016.6.6)
【手続補正１】
【補正対象書類名】明細書
【補正対象項目名】００１２
【補正方法】変更
【補正の内容】
【００１２】
本発明の一実施形態として、第一の画像、撮影日を表す第二の画像および第三の画像を含む第一の画像一覧表示画面から、前記第一の画像および前記第二の画像を含む第二の画像一覧表示画面への画面遷移の方法であって、前記第一の画像に関連づけられた第一のアルバムＩＤ及び前記第三の画像に関連づけられた第二のアルバムＩＤのいずれかを選択するための選択画面が表示され、前記第一のアルバムＩＤが選択されると、前記第一のアルバムＩＤに関連づけられた前記第一の画像及び当該第一の画像の撮影日を含む前記第二の画像が抽出されて前記第二の画像一覧表示画面が表示されることを特徴とする方法を提供する。
【手続補正２】
【補正対象書類名】明細書
【補正対象項目名】００１３
【補正方法】変更
【補正の内容】
【００１３】
本発明の一実施形態として、表示部、入力部、記憶部及び処理部を含む情報端末において、第一の画像、撮影日を表す第二の画像および第三の画像を前記表示部に表示する第一の画像一覧表示画面から、前記第一の画像および前記第二の画像を前記表示部に表示する第二の画像一覧表示画面への画面遷移の方法であって、前記記憶部には、前記第一の画像を表す第一の画像情報および前記第三の画像を表す第三の画像情報が、それぞれ第一のアルバムＩＤおよび第二のアルバムＩＤに関連づけられて記憶され、前記処理部が、前記表示部に対し、前記第一のアルバムＩＤ及び前記第二のアルバムＩＤのいずれかを選択するための選択画面を表示し、前記入力部により前記第一のアルバムＩＤが選択されると、前記処理部が、前記第一のアルバムＩＤを用いて前記記憶部から前記第一の画像情報及び当該第一の画像情報の撮影日を含む前記第二の画像情報を抽出するとともに、前記表示部に対し前記第二の画像一覧表示画面を表示することを特徴とする方法を提供する。
【手続補正３】
【補正対象書類名】明細書
【補正対象項目名】００１４
【補正方法】変更
【補正の内容】
【００１４】
本発明の一実施形態として、コンピュータに、第一の画像、撮影日を表す第二の画像および第三の画像を含む第一の画像一覧表示画面から、前記第一の画像および前記第二の画像を含む第二の画像一覧表示画面への画面遷移を実行させるためのプログラムであって、前記第一の画像に関連づけられた第一のアルバムＩＤ及び前記第三の画像に関連づけられた第二のアルバムＩＤのいずれかを選択するための選択画面を表示し、前記第一のアルバムＩＤが選択されると、前記第一のアルバムＩＤに関連づけられた前記第一の画像及び当該第一の画像の撮影日を含む前記第二の画像を選択するとともに、前記第二の画像一覧表示画面を表示することを実行させるためのプログラムを提供する。
【手続補正４】
【補正対象書類名】明細書
【補正対象項目名】００１５
【補正方法】変更
【補正の内容】
【００１５】
本発明の一実施形態として、表示部、入力部、記憶部及び処理部を含む情報端末に、第一の画像、撮影日を表す第二の画像および第三の画像を前記表示部に表示する第一の画像一覧表示画面から、前記第一の画像および前記第二の画像を前記表示部に表示する第二の画像一覧表示画面への画面遷移を実行させるためのプログラムであって、前記情報端末に、前記記憶部に対し、前記第一の画像を表す第一の画像情報および前記第三の画像を表す第三の画像情報を、それぞれ第一のアルバムＩＤおよび第二のアルバムＩＤに関連づけて記憶し、前記表示部に対し、前記第一のアルバムＩＤ及び前記第二のアルバムＩＤのいずれかを選択するための選択画面を表示し、前記入力部により前記第一のアルバムＩＤが選択されると、前記第一のアルバムＩＤを用いて前記記憶部から前記第一の画像情報及び当該第一の画像情報の撮影日を含む前記第二の画像情報を抽出するとともに、前記表示部に対し前記第二の画像一覧表示画面を表示することを実行させるためのプログラムを提供する。
【手続補正５】
【補正対象書類名】特許請求の範囲
【補正対象項目名】請求項１
【補正方法】変更
【補正の内容】
【請求項１】
第一の画像、撮影日を表す第二の画像および第三の画像を含む第一の画像一覧表示画面から、前記第一の画像および前記第二の画像を含む第二の画像一覧表示画面への画面遷移の方法であって、
前記第一の画像に関連づけられた第一のアルバムＩＤ及び前記第三の画像に関連づけられた第二のアルバムＩＤのいずれかを選択するための選択画面が表示され、
前記第一のアルバムＩＤが選択されると、前記第一のアルバムＩＤに関連づけられた前記第一の画像及び当該第一の画像の撮影日を含む前記第二の画像が抽出されて前記第二の画像一覧表示画面が表示されることを特徴とする方法。
【手続補正６】
【補正対象書類名】特許請求の範囲
【補正対象項目名】請求項３
【補正方法】変更
【補正の内容】
【請求項３】
表示部、入力部、記憶部及び処理部を含む情報端末において、第一の画像、撮影日を表す第二の画像および第三の画像を前記表示部に表示する第一の画像一覧表示画面から、前記第一の画像および前記第二の画像を前記表示部に表示する第二の画像一覧表示画面への画面遷移の方法であって、
前記記憶部には、前記第一の画像を表す第一の画像情報および前記第三の画像を表す第三の画像情報が、それぞれ第一のアルバムＩＤおよび第二のアルバムＩＤに関連づけられて記憶され、
前記処理部が、前記表示部に対し、前記第一のアルバムＩＤ及び前記第二のアルバムＩＤのいずれかを選択するための選択画面を表示し、
前記入力部により前記第一のアルバムＩＤが選択されると、前記処理部が、前記第一のアルバムＩＤを用いて前記記憶部から前記第一の画像情報及び当該第一の画像情報の撮影日を含む前記第二の画像情報を抽出するとともに、前記表示部に対し前記第二の画像一覧表示画面を表示することを特徴とする方法。
【手続補正７】
【補正対象書類名】特許請求の範囲
【補正対象項目名】請求項７
【補正方法】変更
【補正の内容】
【請求項７】
コンピュータに、
第一の画像、撮影日を表す第二の画像および第三の画像を含む第一の画像一覧表示画面から、前記第一の画像および前記第二の画像を含む第二の画像一覧表示画面への画面遷移を実行させるためのプログラムであって、
前記第一の画像に関連づけられた第一のアルバムＩＤ及び前記第三の画像に関連づけられた第二のアルバムＩＤのいずれかを選択するための選択画面を表示し、
前記第一のアルバムＩＤが選択されると、前記第一のアルバムＩＤに関連づけられた前記第一の画像及び当該第一の画像の撮影日を含む前記第二の画像を選択するとともに、前記第二の画像一覧表示画面を表示することを実行させるためのプログラム。
【手続補正８】
【補正対象書類名】特許請求の範囲
【補正対象項目名】請求項８
【補正方法】変更
【補正の内容】
【請求項８】
表示部、入力部、記憶部及び処理部を含む情報端末に、第一の画像、撮影日を表す第二の画像および第三の画像を前記表示部に表示する第一の画像一覧表示画面から、前記第一の画像および前記第二の画像を前記表示部に表示する第二の画像一覧表示画面への画面遷移を実行させるためのプログラムであって、
前記情報端末に、
前記記憶部に対し、前記第一の画像を表す第一の画像情報および前記第三の画像を表す第三の画像情報を、それぞれ第一のアルバムＩＤおよび第二のアルバムＩＤに関連づけて記憶し、
前記表示部に対し、前記第一のアルバムＩＤ及び前記第二のアルバムＩＤのいずれかを選択するための選択画面を表示し、
前記入力部により前記第一のアルバムＩＤが選択されると、前記第一のアルバムＩＤを用いて前記記憶部から前記第一の画像情報及び当該第一の画像情報の撮影日を含む前記第二の画像情報を抽出するとともに、前記表示部に対し前記第二の画像一覧表示画面を表示することを実行させるためのプログラム。